(57)【要約】【課題】二分割の内輪を組立てる際にそれらの突合せ面の位置ズレによるころ回転の不具合を抑制できる調心機能付き転がり軸受を提供する。【解決手段】内輪が径方向において２分割となっており、内輪同士の端面を貫通し且つ回転軸に平行する貫通孔を２以上有し、内輪の一方の前記突合せ面において貫通孔に対応する位置に凹部が形成され、内輪の他方の前記突合せ面において貫通孔に対応する位置に凹部の形状に対応する凸部が形成され、２分割の内輪は凹部と凸部の嵌合により突合せ面同士の位置決めを行うとともに、貫通孔を通してボルトで連結させる調心機能付き転がり軸受。【選択図】図１
2013228072.tif 000002
【特許請求の範囲】
【請求項１】
固定部材に対して回転部材に調心性を持たせて回転支持するための調心機能付き転がり軸受であって、内輪と外輪、これらの間に転動自在に配置され、複列に設けられた複数の転動体、および調心輪を有し、この調心輪は、回転軸に対して嵌合される内周面と、球面状の外周面を有するとともに、前記内輪の内周面が、前記調心輪の球面状の外周面に密着する球面状に形成されている調心機能付き転がり軸受において、前記複列に設けられた転動体の荷重中心線が前記軸受の中心軸に向かうにつれ、互いに接近するように設けられており、
前記内輪が径方向において２分割となっており、前記内輪同士の端面を貫通し且つ回転軸に平行する貫通孔を２以上有し、前記２分割の内輪の一方の前記突合せ面において前記貫通孔に対応する位置に凹部が形成され、前記内輪の他方の前記突合せ面において前記貫通孔に対応する位置に前記凹部の形状に対応する凸部が形成され、前記内輪は前記凹部と凸部の嵌合により突合せ面同士の位置決めを行うとともに、前記貫通孔を通してボルトで連結させることを特徴とする調心機能付き転がり軸受。
【請求項２】
前記複列の各転動体の荷重中心線が軸受中心軸上で互いに交差するとともに、前記調心輪と前記内輪との接点が、前記荷重中心線上に位置するように転動体を配置することを特徴とする請求項１記載の調心機能付き転がり軸受。
【請求項３】
前記貫通孔及び前記凹部と前記凸部は前記内輪同士の端面円周方向に等間隔で形成していることを特徴とする請求項１又は２に記載の調心機能付き転がり軸受。
【発明の詳細な説明】
【技術分野】
【０００１】
本発明は調心機能を設けた転がり軸受に関する。
【背景技術】
【０００２】
例えば圧延機のロール用の軸受等、比較的大荷重が作用し、かつ、調心性が要求される軸を支承する軸受には、一般に、図３に断面図を示すような調心機能付き転がり軸受が用いられる。（特許文献１）この調心機能付き転がり軸受においては、内輪１２に２列の軌道面１２ａ、１２ａが形成されているとともに、外輪１１内周面に２列の軌道面１１ａ、１１ａが設けられ、外輪１１の外周面は球面の一部をなす形状とされている。そして、その内輪１２と外輪１１の間に、前記外輪と内輪とを相対回転させる複数のころ１３が配置されている。
【０００３】
また、前記外輪１１の球面状の外周面に対応する様に、内周面を球面状にした調心輪２０を設けることによって、前記調心輪の軸方向中心と、前記外輪１１及び内輪１２の軸方向中心とが相対的な回動が許容され、前記内輪１２、外輪１１が前記調心輪２０に対して相対的に傾くことがきるようになっている。
【先行技術文献】
【特許文献】
【０００４】
【特許文献１】特開２００３−３４３５５３号公報
【発明の概要】
【発明が解決しようとする課題】
【０００５】
しかしながら、特許文献１の様な調心機能付き転がり軸受にあっては、外輪外径側に調心機能を設けるスペースが必要となり、転動体のピッチ円直径の設計に制約を受けることが懸念されていた。言い換えると、昨今の軸受に要求される高荷重対応という課題に対して、転動体のピッチ円径を拡大し転動体の数を増加させるには限界が有った。また、複列の転動体の荷重中心線が、軸受中心軸に行くにつれ互いに離間するように配置されているため、転動体を受ける内輪の鍔部の強度を向上させる目的で内輪の大型化が避けられず、軸受の軸方向の小型化にも大きな制約となっていた。
【０００６】
本発明はこのような実情に鑑みてなされたもので、調心輪により調心性を持たせた軸受であって、高荷重にも対応可能でありながら、省スペースで、長寿命を達成する調心機能付きの転がり軸受の提供を目的としている。更に、本発明の転がり軸受は、２分割の内輪を採用しており、該２二つの内輪を組立てる際にそれらの突合せ面の位置ズレによるころ回転の不具合を抑制できる軸受構造の提供を目的としている。
【課題を解決するための手段】
【０００７】
前記課題を解決するために、本発明は、固定部材に対して回転部材に調心性を持たせて回転支持するための調心機能付き転がり軸受であって、内輪と外輪、これらの間に転動自在に配置され、複列に設けられた複数の転動体、および調心輪を有し、この調心輪は、回転軸に対して嵌合される内周面と、球面状の外周面を有するとともに、上記内輪の内周面が、上記調心輪の球面状の外周面に密着する球面状に形成されている調心機能付き転がり軸受において、複列に設けられた転動体の荷重中心線が軸受の中心軸に向かうにつれ、互いに接近するように設けられており、内輪が径方向において２分割となっており、内輪同士の端面を貫通し且つ回転軸に平行する貫通孔を２以上有し、内輪の一方の突合せ面において貫通孔に対応する位置に凹部が形成され、内輪の他方の突合せ面において貫通孔に対応する位置に凹部の形状に対応する形状を有する凸部が形成され、２分割の内輪は凹部と凸部の嵌合により突合せ面同士の位置決めを行うとともに、貫通孔を通してボルトで連結させることを特徴とする。
【０００８】
更に、本発明の調心機能付き転がり軸受は、下記の形態にしてよい。
複列の各転動体の荷重中心線が軸受中心軸上で互いに交差するとともに、調心輪と内輪との接点が、荷重中心線上に位置するように転動体を配置することを特徴とする。
貫通孔及び凹部と凸部は、内輪同士の端面円周方向に等間隔で形成することを特徴とする。
【発明の効果】
【０００９】
本発明は、２分割内輪の突合せ面において、形状が合わせる凹部と凸部の嵌合を利用することで２分割内輪の位置決めを行うので、内輪同士の取付け位置ズレを抑制でき、且つ内輪同士相対移動の発生を抑制でき、調心輪と内輪との接点が、つねに前記荷重中心線上に位置するような配置を維持することができる。
【図面の簡単な説明】
【００１０】
【図１】本発明の実施形態の調心機能付き転がり軸受を示す断面図である。
【図２】本発明の実施形態の調心機能付き転がり軸受の内輪分解図である。
【図３】従来の調心機能付き転がり軸受を示す図である。
【発明を実施するための形態】
【００１１】
以下、本発明の実施形態について説明する。
本実施形態の調心機能付き転がり軸受は、図１に示すように、内輪２と、外輪１と、前記内輪２と前記外輪１間に複列配置される複数の転動体３と、前記内輪内径側に調心輪４とを備えている。
【００１２】
調心輪４は中空円筒状に形成され、内径側に回転軸５が貫通固定されているとともに、外径面は凸状の球面形状に形成されている。そして、前記調心輪４の球面状外径面に対応するように、内輪２の内径面も凹状の球面状に形成され、軸受調心機能を可能としている。
【００１３】
複列の転動体３が受ける荷重の中心線Ｓ１、Ｓ２は、各荷重中心線Ｓ１、Ｓ２が軸受中心軸Ｌに向かうにつれ、互いに接近するように設けられており、軸受中心軸上で互いに交差しても良い。
【００１４】
前記内輪２と前記調心輪４との接点は、転動体３に負荷される荷重の中心線Ｓ１、Ｓ２上になるように転動体３を配置している。この様にすることで、外輪１、内輪２、調心輪４通しての荷重伝達方向が一致するため、円滑な調心が可能となる。
【００１５】
また、従来では、調心輪と内輪との組み付けは、調心輪にスリットを入れて、調心輪を縮径させながら内輪を押し込んでいた（不図示）。しかしながら、本発明においては、図２、３に示すように、内輪２は左右対称に２分された分割部材２ａ、２ｂからなる。分割部材２ａの端面を貫通し且つ回転軸に平行する貫通孔２ｃを有する。貫通孔２ｃの数を限定していないが、分割部材２ａの端面円周方向において等間隔で２、３箇所を設けてよい。
また、分割部材２ａの突合せ面２１ａには凹部２２ａを形成しており、分割部材２ｂの突合せ面２１ｂには、凸部２２ｂを形成している。凹部２２ａと凸部２２ｂの位置は、貫通孔２ｃを形成する位置と一致しており、突合せ面２１ａ、２１ｂに等間隔で設けている。凹部２２ａと凸部２２ｂの形状は、円形又は矩形等の形状を採用していい。
【００１６】
軸受の組立に関して、まず分割部材２ａ，２ｂの凹部２２ａと凸部２２ｂを嵌合させ、内輪を一体化にする。次に、凸球面状の調心輪４に対して、軸受の両側からスライドさせて覆い、分割部材２ａ、２ｂに設けられた貫通孔２ｃなどをボルト固定する。
【００１７】
上記に説明したような構造を採用する事により、調心機能付き転がり軸受の高荷重要求に容易に対応できると共に、軸受の省スペース化に寄与し、円滑な調心を行うことに寄与できる。また、調心輪の組み付けも容易に行うことが出来る。更に、２分割内輪の突合せ面において、形状が合わせる凹部と凸部の嵌合を利用することで２分割内輪の位置決めを行うので、内輪同士の取付け位置ズレを抑制でき、且つ内輪同士相対移動の発生を抑制でき、調心輪と内輪との接点が、つねに前記荷重中心線上に位置するような配置を維持することができる。
【符号の説明】
【００１８】
１  外輪
２  内輪
３  転動体
４  調心輪
５  回転軸
２ａ  分割部材
２ｂ  分割部材
２ｃ  貫通孔
２２ａ  凹部
２２ｂ  凸部
【図１】
2013228072.tif 000003
【図２】
2013228072.tif 000004
【図３】
2013228072.tif 000005